(57)【特許請求の範囲】
【請求項１】
無線送信／受信ユニット（ＷＴＲＵ）であって、
第１のセッションを実行する第１のアプリケーションを登録するように構成されたアプリケーションレジストリであって、前記第１のセッションは、前記第１のアプリケーションとネットワークとの間で確立された第１のフローを含むことと、
ユーザが前記第１のアプリケーション上で実行する前記第１のセッションの複製を、第２のアプリケーション上でトリガしたことを検出し、
前記第２のアプリケーションの能力または可用性のうち少なくとも１つを検証するメッセージを前記アプリケーションレジストリに送信して、前記第２のアプリケーションが同じセッションを実行できることを確認し、
前記複製セッションを開始する複製要求メッセージを前記ネットワークに送信するように構成されたオーケストレーションマネージャであって、前記複製セッションは、前記第１のアプリケーションと前記ネットワークとの間で確立された前記第１のフローの複製を含み、前記複製セッションは、前記第２のアプリケーションと前記ネットワークとの間で確立されることと
を備えたことを特徴とするＷＴＲＵ。
【請求項２】
前記オーケストレーションマネージャは、前記ネットワークからの接続確認メッセージの受信に応答して、呼び出し要求メッセージを前記第２のアプリケーションに送信するようにさらに構成されたことを特徴とする請求項１に記載のＷＴＲＵ。
【請求項３】
前記オーケストレーションマネージャは、前記呼び出し要求メッセージに応答して、前記第２のアプリケーションから第１の呼び出し確認メッセージを受信するようにさらに構成されたことを特徴とする請求項２に記載のＷＴＲＵ。
【請求項４】
前記オーケストレーションマネージャは、第２の呼び出し確認メッセージを前記ネットワークに送信するようにさらに構成されたことを特徴とする請求項３に記載のＷＴＲＵ。
【請求項５】
前記第１のフローおよび前記複製フローのそれぞれは、オーディオデータまたはビデオデータのうち少なくとも１つを含むことを特徴とする請求項１に記載のＷＴＲＵ。
【請求項６】
無線送信／受信ユニット（ＷＴＲＵ）により実行される、セッションを複製する方法であって、
第１のセッションを実行する第１のアプリケーションを登録するステップであって、前記第１のセッションは、前記第１のアプリケーションとネットワークとの間で確立された第１のフローを含むことと、
ユーザが前記第１のアプリケーション上で実行する前記第１のセッションの複製を、第２のアプリケーション上でトリガしたことを検出するステップと、
前記ＷＴＲＵの第２のコンポーネントにメッセージを送信する前記ＷＴＲＵの第１のコンポーネントにより、前記第２のアプリケーションの能力または可用性のうち少なくとも１つを検証して、前記第２のアプリケーションが同じセッションを実行できることを確認するステップと、
前記複製セッションを開始する複製要求メッセージを前記ネットワークに送信するステップであって、前記複製セッションは、前記第１のアプリケーションと前記ネットワークとの間で確立された前記第１のフローの複製を含み、前記複製セッションは、前記第２のアプリケーションと前記ネットワークとの間で確立されることと
を備えたことを特徴とする方法。
【請求項７】
前記ネットワークから接続確認メッセージを受信するステップと、
呼び出し要求メッセージを前記第２のアプリケーションに送信するステップと
をさらに備えたことを特徴とする請求項６に記載の方法。
【請求項８】
前記呼び出し要求メッセージに応答して、前記第２のアプリケーションから第１の呼び出し確認メッセージを受信するステップをさらに備えたことを特徴とする請求項７に記載の方法。
【請求項９】
第２の呼び出し確認メッセージを前記ネットワークに送信するステップをさらに備えたことを特徴とする請求項８に記載の方法。
【請求項１０】
前記第１のフローおよび前記複製フローのそれぞれは、オーディオデータまたはビデオデータのうち少なくとも１つを含むことを特徴とする請求項６に記載の方法。
【発明の詳細な説明】
【技術分野】
【０００１】
本出願は、無線通信に関する。本出願は、２００９年１２月９日に出願された米国特許仮出願第６１／２６７９９２号明細書および２００９年１２月９日に出願された米国特許仮出願第６１／２６７９８６号明細書の利益を主張するものであり、その開示内容は、参照により本願の一部とする。
【背景技術】
【０００２】
マルチメディアプリケーションは、誰もが享受できるさまざまなタスクやフィーチャを解放している。今では、携帯電話からネットサーフィンをし、国中の友人にメールを送り、ストリーミング・オーディオを聞いたり、またはストリーミング・ビデオを見たりすることが可能である。このようなサービスにアクセスするためには、例えば、高度マルチメディアシステム（ＡＭＳ）などのサービスを提供するエンティティとのセッションを確立する。ＡＭＳは、ユーザに豊富なマルチメディア通信体験を提供するために、複数のデバイスおよびソフトウェアエージェントを調整する一連の電子通信プロトコルに従って動作する。
【０００３】
図１は、ＡＭＳシステム１００のアーキテクチャを示す。ＡＭＳシステムは、プロジェクタ、プリンタ、スマートフォン、オーディオプレーヤ、テレビ（ＴＶ）／ビデオモニタ、ラップトップ型コンピュータなどを含むことができるアプリケーション／デバイス１０５を含む。アプリケーション／デバイス１０５は、無線送信／受信ユニット（ＷＴＲＵ）またはその他のユーザデバイス１１０と通信するように構成されている。ＷＴＲＵまたはその他のユーザデバイス１１０は、サービスノード（ＳＮ）１３０およびネットワークサービスファシリティ（ＮＳＦ）１４０と通信する、次世代ネットワーク（ＮＧＮ）サービス１２０と通信するように構成されている。
【０００４】
ＷＴＲＵ１１０は、トランスポート層１１２、ＮＧＮサービス機能１１４、およびＨ．３２５コンテナ１１６を含むことができる。Ｈ．３２５コンテナは、ユーザにネットワークを提供する機能である。Ｈ．３２５コンテナは、下位機能として、アプリケーションレジストリ（ＡＲ）１１７と、オーケストレーションマネージャ（ＯＭ）１１８と、トランスポートエージェント（ＴＡ）１１９とを含む。Ｈ．３２５コンテナは、ユーザ（例えば、ＷＴＲＵ）と共に移動する所有物のようなものである。コンテナの機能は、ホームゲートウェイ、ホームノードＢ、セットトップボックス内などに限定されない。Ｈ．３２５コンテナを互いに伝達して、通信を管理することができる。ＡＲ１１７は、個々のアプリケーションが、特定のコンテナに対して可用性を表すために登録するエンティティである。ＯＭ１１８は、ＡＭＳセッションを生成するアプリケーション間のイベントを調整する。ＴＡ１１９は、ＡＭＳアセンブリッジ間のシグナリングを管理する。ＡＭＳアセンブリッジは、ユーザインタラクションに必要な要素間の論理結合（logical association）を示すＡＭＳ要素の集合である。例えば、ＡＭＳにおいて、音声およびビデオ要素を含むテレビ会議（video conference）を、ＡＭＳアセンブリッジと呼ぶことができる。ＮＳＦ１４０は、トランスコーディングおよび他の機能を提供する。ＳＮ１３０は、使用可能なサービスのネットワークレベルビューを保持し、ＯＭ１１８と通信してデバイスの位置を確認できる。
【０００５】
図２は、基本的な呼設定シナリオ２００を示す。アプリケーション／デバイス２０５は、ＡＲ２１０から発見の表示を受信する。アプリケーション／デバイス２０５は、登録要求をＡＲ２１０に送信する。ＡＲ２１０は、アプリケーション記述（ＡＤ）、識別子（ＩＤ）などのすべてのアプリケーションを統合する。ＡＤは、コンテナがその実行中にアプリケーションおよびデバイスに関する詳細な情報を得るように、ＸＭＬのような言語を使用して定義される。ＡＲは、登録要求をＯＭ２１５に転送する。ＯＭ２１５は、ユーザとインタラクションを開始する。ＯＭ２１５は、登録確認メッセージをＡＲ２１０に送信し、ＡＲ２１０は、その登録確認をアプリケーション／デバイス２０５に転送する。ユーザは、ＯＭ２１５からの通信を開始する。ＯＭ２１５は、事前呼び出し要求メッセージをＡＲ２１０に送信し、ＡＲ２１０は、その事前呼び出し要求メッセージをアプリケーション／デバイス２０５に転送する。アプリケーション／デバイス２０５は、事前呼び出し確認メッセージをＡＲ２１０に送信し、ＡＲ２１０は、その事前呼び出し確認メッセージをＯＭ２１５に転送する。ＯＭ２１５は、接続要求メッセージをＴＡ２２０に送信し、ＴＡ２２０は、その接続要求メッセージをネットワークに転送する。ＴＡ２２０は、ＮＧＮを介して接続アラートおよび接続確認メッセージを受信する。ＴＡ２２０は、接続確認メッセージをＯＭ２１５に転送し、ＯＭ２１５は、呼び出し要求メッセージをＡＲ２１０に送信し、ＡＲ２１０は、その呼び出し要求メッセージをアプリケーション／デバイス２０５に送信する。アプリケーション／デバイス２０５は、呼び出し確認メッセージをＡＲ２１０に送信し、ＡＲ２１０は、その呼び出し確認メッセージをＯＭ２１５に送信し、ＯＭ２１５は、その呼び出し確認メッセージをＴＡ２２０に送信する。異なる要件（即ち、遅延、帯域幅、ジッタ）で組み合わされたソースとシンク間のリソースが保存される。通信を開始して、メディアは、ネットワークを通じてアプリケーション／デバイス２０５間に直接流れる。
【０００６】
しかしながら、時には確立されたセッション中、ユーザは、セッションを中断されることもあるし、またはユーザは、自分の見る嗜好によってセッションの離脱を選択することもある。従って、セッション複製の方法および装置とメディアを共有する方法および装置とを提供することが有益であろう。
【発明の概要】
【０００７】
ＡＭＳフレームワーク内でセッション複製を行うための方法および装置が開示され、第１のアプリケーション／デバイス上で実行するセッションは、第２のアプリケーション／デバイス上で複製される。メディアを共有するための方法および装置が開示され、第１のアプリケーション／デバイス上で実行するメディアは、第２のアプリケーション／デバイスと共有される。
【０００８】
アプリケーションを登録して、第１のアプリケーション上でセッションを実行しているかどうかを判定するように構成されたアプリケーションレジストリと、ユーザが第２のアプリケーション上でセッション複製をトリガしたことを検出し、第１のアプリケーションと第２のアプリケーションとの間の接続確立に対するセッション複製要求をネットワークに送信し、そしてネットワークが第２のアプリケーションの接続確立を開始したという条件で、そのネットワークからの接続確立を確認するメッセージを受信するように構成されたオーケストレーションマネージャとから成るＨ．３２５ネットワークにおいて使用する仲介デバイスが開示される。
【０００９】
第１のアプリケーションおよび第２のアプリケーションを登録するように構成されたアプリケーションレジストリと、第２のアプリケーション上でセッション設定要求のトリガを受信するように構成されたオーケストレーションマネージャとから成り、オーケストレーションマネージャは、第２のアプリケーションが使用可能であり、かつその第２のアプリケーションが第１のアプリケーション上で実行するのと同じセッションを実行する能力があるかどうかを求めるメッセージを、アプリケーションレジストリに送信するように構成され、検証の肯定応答を受信すると、オーケストレーションマネージャは、トランスコーダをダウンロードする要求をネットワークに送信するように構成された、Ｈ．３２５ネットワークにおいて使用する仲介デバイスが開示される。
【００１０】
Ｈ．３２５ネットワークにおいて使用する仲介デバイスで実行される際、第１のアプリケーションおよび第２のアプリケーションを登録し、第２のアプリケーション上でセッション設定要求のトリガを受信し、第２のアプリケーションが使用可能であり、かつその第２のアプリケーションが第１のアプリケーション上で実行するのと同じセッションを実行する能力があるかどうかを求めるメッセージを送信し、そして検証の肯定応答を受信すると、トランスコーダをダウンロードする要求をネットワークに送信することを備えた方法を、仲介デバイスに行わせる命令を包含する、コンピュータ可読記憶媒体が開示される。
【図面の簡単な説明】
【００１１】
添付図面と併せて例として与えられた以下の説明から、より詳細な理解が得られる。
【図１】ＡＭＳのアーキテクチャを示す図である。
【図２】呼設定シナリオの信号図である。
【図３Ａ】開示された１または複数の実施形態を実装できる例示的な通信システムの系統図である。
【図３Ｂ】図３Ａに示した通信システム内で使用できる例示的な無線送信／受信ユニット（ＷＴＲＵ）の系統図である。
【図３Ｃ】図３Ａに示した通信システム内で使用できる例示的な無線アクセスネットワークおよび例示的なコアネットワークの系統図である。
【図４】実施形態に従った、仲介デバイスの観点からのセッション複製シナリオの流れ図である。
【図５】セッション複製シナリオの信号図である。
【図６】実施形態に従った、メディア共有シナリオとして提案された方法の流れ図である。
【図７】メディア共有シナリオの信号図である。
【発明を実施するための形態】
【００１２】
以下、用語「無線送信／受信ユニット（ＷＴＲＵ）」は、ユーザ機器（ＵＥ）、移動局、固定式または移動式加入者ユニット、ページャ、携帯電話、携帯情報端末（ＰＤＡ）、コンピュータ、または無線環境で動作可能なその他のタイプのユーザデバイスを含むが、これらに限定されない。以下、用語「基地局」は、ノードＢ、サイトコントローラ、アクセスポイント（ＡＰ）、または無線環境で動作可能なその他のタイプのインタフェースデバイスを含むが、これらに限定されない。
【００１３】
図３Ａは、開示された１または複数の実施形態を実装できる例示的な通信システム３００の図である。通信システム３００を、音声、データ、ビデオ、メッセージング、ブロードキャストなどのコンテンツを複数のユーザに提供する、多元接続システムにすることができる。通信システム３００は、無線帯域幅を含むシステムリソースの共有を通じて、複数の無線ユーザがそのようなコンテンツにアクセスするのを可能にする。例えば、通信システム３００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）などの、１または複数のチャネルアクセス方式を用いることができる。
【００１４】
図３Ａに示すように、通信システム３００は、無線送信／受信ユニット（ＷＴＲＵ）３０８ａ、３０８ｂ、３０８ｃ、３０８ｄと、無線アクセスネットワーク（ＲＡＮ）３０４と、コアネットワーク３０６と、公衆交換電話網（ＰＳＴＮ）３０８と、インターネット３１０と、他のネットワーク３１２とを含むことができるが、開示された実施形態は、任意の数のＷＴＲＵ、基地局、ネットワーク、および／またはネットワーク要素も想定していることを認識されたい。ＷＴＲＵ３０８ａ、３０８ｂ、３０８ｃ、３０８ｄのそれぞれを、無線環境で動作および／または通信するように構成された任意のタイプのデバイスにしてよい。例として、ＷＴＲＵ３０８ａ、３０８ｂ、３０８ｃ、３０８ｄは、無線信号を送信および／または受信するように構成されてもよく、ユーザ機器（ＵＥ）、移動局、固定式または移動式加入者ユニット、ページャ、携帯電話、携帯情報端末（ＰＤＡ）、スマートフォン、ラップトップ型コンピュータ、ネットブック、パーソナルコンピュータ、無線センサ、家電製品などを含んでよい。
【００１５】
通信システム３００は、基地局３１４ａと基地局３１４ｂを含むこともできる。基地局３１４ａ、３１４ｂのそれぞれは、ＷＴＲＵ３０８ａ、３０８ｂ、３０８ｃ、３０８ｄの少なくとも１つとワイヤレスにインタフェースをとって、コアネットワーク３０６、インターネット３１０、および／またはネットワーク３１２などの、１または複数の通信ネットワークへのアクセスを容易にするように構成された任意のタイプのデバイスにしてよい。例として、基地局３１４ａ、３１４ｂを、ベーストランシーバ基地局（ＢＴＳ）、ノードＢ、ｅノードＢ、ホームノードＢ、ホームｅノードＢ、サイトコントローラ、アクセスポイント（ＡＰ）、無線ルータなどにしてよい。基地局３１４ａ、３１４ｂはそれぞれ、単一要素として描かれているが、基地局３１４ａ、３１４ｂは、相互接続された任意の数の基地局および／またはネットワーク要素を含んでよいことを認識されたい。
【００１６】
基地局３１４ａは、ＲＡＮ３０４の一部にすることができ、ＲＡＮ３０４は、基地局コントローラ（ＢＳＣ）、無線ネットワークコントローラ（ＲＮＣ）、中継ノードなどの、他の基地局および／またはネットワーク要素（図示せず）を含むこともできる。基地局３１４ａおよび／または基地局３１４ｂは、セル（図示せず）と呼ばれる、特定の地理的領域内で無線信号を送信および／または受信するように構成されてもよい。セルをセルセクタにさらに分割できる。例えば、基地局３１４ａと関連付けられたセルを３つのセクタに分割できる。従って、一実施形態において、基地局３１４ａは、３つのトランシーバ、即ち、セルの１セクタ当たり１トランシーバを含むことができる。別の実施形態において、基地局３１４ａは、複数入力・複数出力（ＭＩＭＯ）技術を用いることができるので、セルの１セクタ当たり複数のトランシーバを利用することができる。
【００１７】
基地局３１４ａ、３１４ｂは、無線インタフェース３１６を介してＷＴＲＵ３０８ａ、３０８ｂ、３０８ｃ、３０８ｄのうち１または複数と通信でき、無線インタフェース３１６を、適した任意の無線通信リンク（例えば、無線周波数（ＲＦ）、マイクロ波、赤外線（ＩＲ）、紫外線（ＵＶ）、可視光線など）にしてよい。適した任意の無線アクセス技術（ＲＡＴ）を使用して、無線インタフェース３１６を確立できる。
【００１８】
より詳細には、上述のように、通信システム３００は、多元接続システムにすることができ、ＣＤＭＡ、ＴＤＭＡ、ＦＤＭＡ、ＯＦＤＭＡ、ＳＣ−ＦＤＭＡなどの、１または複数のチャネルアクセス方式を用いることができる。例えば、ＲＡＮ３０４内の基地局３１４ａおよびＷＴＲＵ３０８ａ、３０８ｂ、３０８ｃは、広域ＣＤＭＡ（ＷＣＤＭＡ）を使用して無線インタフェース３１６を確立できる、ユニバーサル移動体通信システム（ＵＭＴＳ）地上波無線アクセス（ＵＴＲＡ）などの無線技術を実装できる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１９】
別の実施形態において、基地局３１４ａおよびＷＴＲＵ３０８ａ、３０８ｂ、３０８ｃは、ロングタームエボリューション（ＬＴＥ）および／またはＬＴＥアドバンスト（ＬＴＥ−Ａ）を使用して無線インタフェース３１６を確立できる、進化型ＵＭＴＳ地上波無線アクセス（Ｅ−ＵＴＲＡ）などの無線技術を実装できる。
【００２０】
その他の実施形態において、基地局３１４ａおよびＷＴＲＵ３０８ａ、３０８ｂ、３０８ｃは、ＩＥＥＥ８０２．１６（即ち、マイクロ波アクセスのための世界規模の相互運用（ＷｉＭＡＸ））、ＣＤＭＡ２０００、ＣＤＭＡ２０００１Ｘ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（Global System for Mobile communications）、ＥＤＧＥ（Enhanced Data rates for GSM Evolution）、ＧＳＭ  ＥＤＧＥ（ＧＥＲＡＮ）などの無線技術を実装できる。
【００２１】
図３Ａの基地局３１４ｂを、例えば、無線ルータ、ホームノードＢ、ホームｅノードＢ、またはアクセスポイントにすることができ、事業所、住居、車、キャンパスなどのローカルエリアで無線接続性を容易にするのに適した任意のＲＡＴを利用してよい。一実施形態において、基地局３１４ｂおよびＷＴＲＵ３０８ｃ、３０８ｄは、無線ローカルエリアネットワーク（ＷＬＡＮ）を確立するＩＥＥＥ８０２．１１などの、無線技術を実装できる。別の実施形態において、基地局３１４ｂおよびＷＴＲＵ３０８ｃ、３０８ｄは、無線パーソナルエリアネットワーク（ＷＰＡＮ）を確立するＩＥＥＥ８０２．１５などの、無線技術を実装できる。さらに別の実施形態において、基地局３１４ｂおよびＷＴＲＵ３０８ｃ、３０８ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図３Ａに示すように、基地局３１４ｂは、インターネット３１０に直接接続できる。従って、基地局３１４ｂは、コアネットワーク３０６経由でインターネット３１０にアクセスする必要がない。
【００２２】
ＲＡＮ３０４は、コアネットワーク３０６と通信でき、コアネットワーク３０６は、音声、データ、アプリケーション、および／またはボイスオーバーインターネットプロトコル（ＶｏＩＰ）サービスを、ＷＴＲＵ３０８ａ、３０８ｂ、３０８ｃ、３０８ｄのうち１または複数に提供するように構成された任意のタイプのネットワークとしてもよい。例えば、コアネットワーク３０６は、呼制御、課金サービス、移動体の位置ベースのサービス、プリペイド電話、インターネット接続性、映像配信（video distribution）などを提供でき、および／またはユーザ認証などのハイレベルのセキュリティ機能を実行できる。図３Ａに示していないが、ＲＡＮ３０４および／またはコアネットワーク３０６を、ＲＡＮ３０４と同じＲＡＴまたは異なるＲＡＴを用いた、他のＲＡＴとの直接または間接通信にすることができることを認識されたい。例えば、コアネットワーク３０６は、Ｅ−ＵＴＲＡ無線技術を利用するＲＡＮ３０４に接続されることに加えて、ＧＳＭ無線技術を用いた別のＲＡＮ（図示せず）と通信することもできる。
【００２３】
コアネットワーク３０６は、ＷＴＲＵ３０８ａ、３０８ｂ、３０８ｃ、３０８ｄがＰＳＴＮ３０８、インターネット３１０、および／または他のネットワーク３１２にアクセスするためのゲートウェイとして機能することもできる。ＰＳＴＮ３０８は、旧来の音声電話サービス（ＰＯＳＴ）を提供する回線交換電話網を含むことができる。インターネット３１０は、ＴＣＰ／ＩＰインターネットプロトコルスイートにおけるＴＣＰ、ＵＤＰおよびＩＰなどの、一般的な通信プロトコルを使用して相互接続されたコンピュータネットワークおよびデバイスのグローバルシステムを含むことができる。ネットワーク３１２は、他のサービスプロバイダによって所有および／または運用される有線または無線通信ネットワークを含むことができる。例えば、ネットワーク３１２は、ＲＡＮ３０４と同じＲＡＴまたは異なるＲＡＴを用いることができる、１または複数のＲＡＮに接続された別のコアネットワークを含むことができる。
【００２４】
通信システム３００内のＷＴＲＵ３０８ａ、３０８ｂ、３０８ｃ、３０８ｄのいくつかまたはすべては、マルチモード能力を含むことができる。即ち、ＷＴＲＵ３０８ａ、３０８ｂ、３０８ｃ、３０８ｄは、異なる無線リンクを介して異なる無線ネットワークと通信する複数のトランシーバを含むことができる。例えば、図３Ａに示したＷＴＲＵ３０８ｃを、セルベースの無線技術を用いることができる基地局３１４ａと、ＩＥＥＥ８０２無線技術を用いることができる基地局３１４ｂとの通信を行うように構成できる。
【００２５】
図３Ｂは、例示的なＷＴＲＵ３０８の系統図である。図３Ｂに示すように、ＷＴＲＵ３０８は、プロセッサ３１８と、トランシーバ３２０と、送信／受信要素３２２と、スピーカ／マイクロフォン３２４と、キーパッド３２６と、ディスプレイ／タッチパッド３２８と、ノンリムーバブルメモリ３３０と、リムーバブルメモリ３３２と、電源３３４と、全地球測位システム（ＧＰＳ）チップセット３３６と、他の周辺機器３３８とを含むことができる。ＷＴＲＵ３０８は、実施形態と整合性を保った上で、上述の要素の任意の組み合わせを含んでよいことを認識されたい。
【００２６】
プロセッサ３１８を、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、マイクロコントローラ、特定用途向け集積回路（ＡＳＩＣ）、現場プログラム可能ゲートアレイ（ＦＰＧＡ）回路、その他のタイプの集積回路（ＩＣ）、ステートマシンなどにすることができる。プロセッサ３１８は、信号コーディング、データ処理、電力制御、入力／出力処理、および／またはＷＴＲＵ３０８が無線環境で動作するのを可能にするその他の機能性を実行できる。プロセッサ３１８をトランシーバ３２０に結合でき、トランシーバ３２０を送信／受信要素３２２に結合できる。図３Ｂでは、プロセッサ３１８とトランシーバ３２０とを個別のコンポーネントとして描いているが、プロセッサ３１８とトランシーバ３２０とを電子パッケージまたはチップ内にまとめることができることを認識されたい。
【００２７】
送信／受信要素３２２を、無線インタフェース３１６を介して基地局（例えば、基地局３１４ａ）と信号の送受信を行うように構成できる。例えば、一実施形態において、送信／受信要素３２２を、ＲＦ信号を送信および／または受信するように構成されたアンテナにすることができる。別の実施形態において、送信／受信要素３２２を、例えば、ＩＲ、ＵＶ、または可視光線の信号を送信および／または受信するように構成されたエミッタ／検出器にすることができる。さらに別の実施形態において、送信／受信要素３２２を、ＲＦ信号と光信号との両方を送受信するように構成できる。送信／受信要素３２２を、無線信号の任意の組み合わせを送信および／または受信するように構成できることを認識されたい。
【００２８】
さらに、送信／受信要素３２２を単一要素として図３Ｂに描いているが、ＷＴＲＵ３０８は、任意の数の送信／受信要素３２２を含んでよい。より詳細には、ＷＴＲＵ３０８は、ＭＩＭＯ技術を用いることができる。従って、一実施形態において、ＷＴＲＵ３０８は、インタフェース３１６を介して無線信号を送受信する２または３以上の送信／受信要素３２２（例えば、複数のアンテナ）を含むことができる。
【００２９】
トランシーバ３２０を、送信／受信要素３２２によって送信される信号を変調して、送信／受信要素３２２によって受信された信号を復調するように構成できる。上述のように、ＷＴＲＵ３０８は、マルチモード能力を有することができる、従って、トランシーバ３２０は、ＷＴＲＵ３０８が、例えば、ＵＴＲＡおよびＩＥＥＥ８０２．１１などの、複数のＲＡＴを通じて通信するのを可能にする複数のトランシーバを含むことができる。
【００３０】
ＷＴＲＵ３０８のプロセッサ１１８を、スピーカ／マイクロフォン３２４、キーバッド３２６、および／またはディスプレイ／タッチパッド３２８（例えば、液晶ディスプレイ（ＬＣＤ）表示ユニットまたは有機発光ダイオード（ＯＬＥＤ）表示ユニット）に結合して、ユーザ入力データを受信できる。プロセッサ３１８は、スピーカ／マイクロフォン３２４、キーバッド３２６、および／またはディスプレイ／タッチパッド３２８にユーザデータを出力することもできる。さらに、プロセッサ３１８は、ノンリムーバブルメモリ３３０および／またはリムーバブルメモリ３３２などの、適した任意のタイプのメモリからの情報にアクセスして、それらのメモリにデータを記憶できる。ノンリムーバブルメモリ３３０は、ＲＡＭ、ＲＯＭ、ハードディスク、またはその他のタイプのメモリ記憶デバイスを含むことができる。リムーバブルメモリ３３２は、ＳＩＭ（subscriber identity module）カード、メモリスティック、ＳＤ（secure digital）メモリカードなどを含むことができる。他の実施形態において、プロセッサ３１８は、サーバまたはホームコンピュータ（図示せず）などの、物理的にＷＴＲＵ３０８に置いてないメモリからの情報にアクセスして、それらのメモリにデータを記憶できる。
【００３１】
プロセッサ３１８は、電源３３４から電力を受け取ることができ、その電力をＷＴＲＵ３０８内の他のコンポーネントに配分および／または制御するように構成されることができる。電源３３４は、ＷＴＲＵ３０８に電力供給するのに適した任意のデバイスにしてよい。例えば、電源３３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３２】
プロセッサ３１８をＧＰＳチップセット３３６に結合することもでき、ＧＰＳチップセット３３６を、ＷＴＲＵ３０８の現在の位置に関する位置情報（例えば、経緯度）を提供するように構成できる。追加または代替として、ＧＰＳチップセット３３６からの情報により、ＷＴＲＵ３０８は、基地局（例えば、基地局３１４ａ、３１４ｂ）から無線インタフェース３１６を介して位置情報を受信し、および／または２または３以上の近隣の基地局から受信される信号のタイミングに基づいて自身の位置を判定できる。ＷＴＲＵ３０８は、実施形態と整合性を保った上で、適した任意の位置判定方法によって位置情報を取得してよいことを認識されたい。
【００３３】
プロセッサ３１８をさらに他の周辺機器３３８に結合することができ、周辺機器３３８は、付加的なフィーチャ、機能性および／または有線または無線接続性を提供する、１または複数のソフトウェアモジュールおよび／またはハードウェアモジュールを含むことができる。例えば、周辺機器３３８は、加速度計、電子コンパス、衛星トランシーバ、デジタルカメラ（写真またはビデオ用）、ＵＳＢポート、振動デバイス、テレビトランシーバ、ハンズフリーヘッドセット、Bluetooth（登録商標）モジュール、ＦＭ無線ユニット、デジタル音楽プレーヤ、メディアプレーヤ、ビデオゲームプレーヤモジュール、インターネットブラウザなどを含むことができる。
【００３４】
図３Ｃは、実施形態に従ったＲＡＮ３０４およびコアネットワーク３０６の系統図である。上述のように、ＲＡＮ３０４は、Ｅ−ＵＴＲＡ無線技術を用いて、無線インタフェース３１６を介してＷＴＲＵ３０８ａ、３０８ｂ、３０８ｃと通信できる。ＲＡＮ３０４は、コアネットワーク３０６とも通信できる。
【００３５】
ＲＡＮ３０４は、ｅノードＢ３４０ａ、３４０ｂ、３４０ｃを含むことができるが、ＲＡＮ３０４は、実施形態と整合性を保った上で、任意の数のｅノードＢを含んでよいことを認識されたい。ｅノードＢ３４０ａ、３４０ｂ、３４０ｃはそれぞれ、無線インタフェース３１６を介してＷＴＲＵ３０８ａ、３０８ｂ、３０８ｃと通信する１または複数のトランシーバを含むことができる。一実施形態において、ｅノードＢ３４０ａ、３４０ｂ、３４０ｃは、ＭＩＭＯ技術を実装できる。従って、例えば、ｅノードＢ３４０ａは、ＷＴＲＵ３０８ａと無線信号を送受信するための複数のアンテナを使用できる。
【００３６】
ｅノードＢ３４０ａ、３４０ｂ、３４０ｃのそれぞれを、特定のセル（図示せず）と関連付けることができ、そして無線リソース管理決定、ハンドオーバー決定、アップリンクおよび／またはダウンリンクのユーザのスケジューリングなどを処理するように構成できる。図３Ｃに示すように、ｅノードＢ３４０ａ、３４０ｂ、３４０ｃは、Ｘ２インタフェースを介して互いに通信できる。
【００３７】
図３Ｃに示したコアネットワーク３０６は、モビリティ管理ゲートウェイ（ＭＭＥ）３４４、サービングゲートウェイ３４６、およびパケットデータネットワーク（ＰＤＮ）ゲートウェイ３４８を含むことができる。上述した要素のそれぞれをコアネットワーク３０６の一部として描いているが、これらの要素のいずれも、コアネットワーク通信業者以外の団体（entity）によって所有および／または運用されてよいことを認識されたい。
【００３８】
ＭＭＥ３４４は、Ｓ１インタフェース経由でＲＡＮ３０４内のｅノードＢ３４０ａ、３４０ｂ、３４０ｃのそれぞれに接続されることができ、制御ノードとして機能できる。例えば、ＭＭＥ３４４は、ＷＴＲＵ３０８ａ、３０８ｂ、３０８ｃのユーザを認証すること、ベアラをアクティブ化／非アクティブ化すること、ＷＴＲＵ３０８ａ、３０８ｂ、３０８ｃの初期接続（initial attach）時に特定のサービングゲートウェイを選択することなどに関与することができる。ＭＭＥ３４４は、ＲＡＮ３０４と、ＧＳＭまたはＷＣＤＭＡなどの他の無線技術を用いる他のＲＡＮ（図示せず）とを切り替える制御プレーン機能を提供することもできる。
【００３９】
サービングゲートウェイ３４６を、Ｓ１インタフェース経由でＲＡＮ３０４内のｅノードＢ３４０ａ、３４０ｂ、３４０ｃのそれぞれに接続できる。サービングゲートウェイ３４６は一般に、ＷＴＲＵ３０８ａ、３０８ｂ、３０８ｃへの／からのユーザデータパケットを経路指定して転送できる。サービングゲートウェイ３４６は、ｅノードＢ間のハンドオーバー時にユーザプレーンをアンカーすること、ダウンリンクデータがＷＴＲＵ３０８ａ、３０８ｂ、３０８ｃに使用可能になった時にページングをトリガすること、ＷＴＲＵ３０８ａ、３０８ｂ、３０８ｃのコンテキストを管理して記憶することなどの、他の機能も実行できる。
【００４０】
サービングゲートウェイ３４６をＰＤＮゲートウェイ３４８に接続することもでき、ＰＤＮゲートウェイ３４８は、ＷＴＲＵ３０８ａ、３０８ｂ、３０８ｃにインターネット３１０などの、パケット交換ネットワークへのアクセスを提供して、ＷＴＲＵ３０８ａ、３０８ｂ、３０８ｃとＩＰ準拠（IP-enabled）デバイスとの間の通信を容易にすることができる。
【００４１】
コアネットワーク３０６は、他のネットワークとの通信を容易にできる。例えば、コアネットワーク３０６は、ＷＴＲＵ３０８ａ、３０８ｂ、３０８ｃにＰＳＴＮ３０８などの回路交換ネットワークへのアクセスを提供して、ＷＴＲＵ３０８ａ、３０８ｂ、３０８ｃと従来の固定電話回線による通信デバイスとの間の通信を容易にできる。例えば、コアネットワーク３０６は、コアネットワーク３０６とＰＳＴＮ３０８との間のインタフェースとして機能するＩＰゲートウェイ（例えば、ＩＰマルチメディアサブシステム（ＩＭＳ）サーバ）を含むことができるか、またはそれと通信できる。さらに、コアネットワーク３０６は、他のサービスプロバイダによって所有および／または運用される他の有線または無線通信ネットワークを含むことができる、ネットワーク３１２へのアクセスをＷＴＲＵ３０８ａ、３０８ｂ、３０８ｃに提供できる。
【００４２】
ビデオおよび／またはオーディオストリームの複製は、さまざまな理由で望ましい。例えば、ある人が、自宅で家族および／または友人と映画を見ていて、その人に外出を要する電話がかかってくると考えてみる。この場合、その人は、自分の家族および／または友人が自宅のスクリーンで映画を見続ける間、そのビデオストリームを自分の携帯電話上で複製したいだろう。ビデオストリームの制御は、ユーザが外出中、自宅でビデオを見ている人に委ねられるか、または双方で行うことができる。別の例において、ある人が、テレビ会議に参加していて、会議室の外へ出る際に、ビデオセッションかオーディオセッション、またはその両方を、自分の携帯電話上で複製したいだろう。その人が会議室に戻ると、複製されたセッションを停止するのが望ましい。このような複製は、例えば、ＡＭＳタイプのシステムにおいて可能である。
【００４３】
図４は、仲介デバイス（即ち、ＷＴＲＵ）の観点からのセッション複製シナリオ４００のブロック図である。４０５において、ＡＲは、第１のアプリケーションを登録して、第１のアプリケーション上でセッションを実行していることを判定する。４１０において、ＯＭは、ユーザがセッション複製をトリガしたことを検出する。４１５において、ＯＭは、第１のアプリケーションと第２のアプリケーションとの間の接続を要求する、複製要求メッセージをネットワークに送信する。４２０において、ネットワークが第２のアプリケーションとの接続を確立したかどうかが判定される。４２５において、ネットワークが第２のアプリケーションとの接続を確立したという条件で、ＯＭは、ネットワークから接続確立を受信する。４２０において、ネットワークが第２のアプリケーションとの接続を確立していないという条件で、第２のアプリケーションとの接続が確立し得るかどうかの判定が繰り返される。
【００４４】
図５は、セッション複製シナリオ５００の信号図である。仲介デバイス５１０は、ＡＲ５１１と、ＯＭ５１２と、ＴＡ５１３とを含む。ネットワーク要素５１５は、ＳＮ５１６とメディアサーバ５１７とを含む。アプリケーションまたはデバイス５０５は、任意の数にしてよい。５２０において、セッションは、Ａ１などの第１のアプリケーションまたはデバイス上で実行される。セッションは、例えば、フロー１とフロー２とを含む。それらのフローを、オーディオおよび／またはビデオデータにすることができる。５２２において、トリガを、第２のアプリケーションまたはデバイス上でセッションの複製を行うためのユーザトリガにして発生させることができる。第２のアプリケーションまたはデバイスＡ２を、仲介デバイスの一部にしてよいし、しなくてもよい。トリガは、例えば、携帯電話であってもよい、仲介デバイス５１０内のＯＭ５１２で発生する。５０５において、Ａ１とＡ２の、２つのアプリケーションのみを例示目的で描いているが、任意の数のアプリケーションまたはデバイスを利用してよい。
【００４５】
５２４において、Ａ２の能力および／または可用性は、ＯＭからＡＲへのメッセージを通じて検証され、５２６において、能力の検証が発生する。能力の検証は、Ａ２とＡＲとの間で行われる。５２８において、ＯＫメッセージをＡＲ５１１からＯＭ５１２に送信できる。５３０において、複製要求メッセージを、ＯＭ５１２からＴＡ５１３経由でＳＮ５１６に送信できる。
【００４６】
５３２において、Ａ２の接続の確立がＳＮ５１６において発生し、５３４において、ＳＮ５１６によって、接続ＯＫメッセージをＴＡ５１３経由でＯＭ５１２に送信できる。５３６において、呼び出し要求メッセージを、ＯＭ５１２からＡＲ５１１経由で第２のアプリケーション（即ち、Ａ２）に送信でき、５３８において、呼び出し確認メッセージを、第２のアプリケーションであるＡ２からＯＭ５１２に送信できる。５４０において、別の呼び出し確認メッセージを、ＯＭ５１２からＳＮ５１６に送信できる。５４２において、ＳＮ５１６とメディアサーバ５１７との間でリモートレグ（remote leg）を更新でき、５４４において、ＳＮ５１６は、ＮＳＦに、第１のアプリケーション（即ち、Ａ１）上で実行しているメディアストリームを第２のアプリケーション（即ち、Ａ２）上に複製するように命令できる。５４６において、そのセッションを、第２のアプリケーションであるＡ２上で複製できる。フロー１かフロー２のいずれか、またはフロー１とフロー２の両方を複製できることを認識されたい。ここでは任意の数のフローを含むことができるが、簡略化のために２つのフローのみが示されている。
【００４７】
例示目的として、ＡＲ５１１、ＯＭ５１２、ＴＡ５１３、およびＡ２５０５は、携帯電話などの、仲介デバイス内に存在し、ＳＮ５１６とメディアサーバ５１７とは、ネットワーク要素５１５内に存在する。
【００４８】
メディアの共有は、さまざまな理由で望ましい。例えば、ユーザが、休暇中に、自分の携帯電話を使用して数多くの写真を撮ったと考えてみる。ユーザは、その写真を友人および／または親戚に、自分の携帯電話の写真のフォーマットをサポートしない大型スクリーンのテレビ（ＴＶ）で見せたいだろうし、その写真を変換したり、例えば、記憶サーバまたはメディアカードに記憶したりする時間や機会がないかもしれない。それにより、ユーザは、スライドショーをＴＶ上に映し出すアプリケーションを自分の携帯電話で起動して、自分の携帯電話を使用して、スライドショーを制御して、写真のスキップ、写真のサイズ変更、ズーム、回転などを行いたいだろう。
【００４９】
図６は、メディア共有シナリオとして提案された流れ図６００を示す。６０５において、ＡＲは、第１のアプリケーションおよび第２のアプリケーションを登録する。６１０において、ＯＭは、第２のアプリケーション上でセッション設定要求のトリガをユーザから受信する。６１５において、ＯＭは、第２のアプリケーションの可用性および能力を求めるメッセージをＡＲに送信する。６２０において、第２のアプリケーションが使用可能であるという条件で、ＯＭは、トランスコーダをダウンロードする要求をネットワークに送信する。６２５において、ＯＭは、トランスコーダダウンロードモジュール(download transcoder module)をネットワークから受信する。
【００５０】
典型的には、トランスコーディングは、トランスコーディングを行う個別のノードを有するネットワークにおいて行われる。これは、トランスコードする必要があるローカルビデオがネットワーク内で共有されることもあるので、ローカルに共有されるメディアにとって適切および／または効率的ではないだろう。ここで説明される方法および装置は、トランスコーディングのアルゴリズムを実行して、それに関連するコードをネットワークから、ローカルエンティティであるコンテナへとダウンロードする。メディアは、ダウンロードされたコーデックを使用してトランスコードされる。従って、時間および帯域幅の使用が削減される。その結果、ローカルデバイス同士のビデオ／写真の共有がかなり高速で行われる。
【００５１】
図７は、メディア共有シナリオの信号図７００を示す。この実施形態において、７０６において、休暇中に撮った写真は、第１のアプリケーションまたはデバイス（Ａ１）内にある。７０７において、大型スクリーンディスプレイなどの、ディスプレイを第２のアプリケーションまたはデバイス（Ａ２）にすることができる。７２０において、アプリケーションまたはデバイスであるＡ１およびＡ２を、あらかじめＡＲに登録できるし、またはＡＲとオンディマンドで登録できる。
【００５２】
ＯＭ７１２においてトリガが発生して、７２２において、アプリケーションまたはデバイスＡ２上でセッション設定をトリガできる。そのトリガを、ユーザトリガにすることができ、アプリケーションまたはデバイスＡ１が、ＯＭ７１２に対して実行することができる。７２４において、ＯＭ７１２からＡＲ７１１へのメッセージを通じて、Ａ２の能力および／または可用性を検証でき、７２６において、能力の検証が発生する。７２８において、ＯＫメッセージをＡＲ７１１からＯＭ７１２に送信できる。７２６において、Ａ２  ７０７とＡＲ７１１との間で能力の検証を行うことができる。７３０において、暫定（trying）肯定応答（ＡＣＫ）をＯＭ７１２からＡ１７０６に送信でき、７３２において、トランスコーダをダウンロードする要求を、ＯＭ７１２からＴＡ７１３経由でＳＮ７１６に送信できる。ＳＮ７１６は、トランスコーダをダウンロードする要求をＮＳＦ７１７に信号で送ることができる。７３６において、ＯＭ７１２によって、トランスコーダモジュールをＮＳＦ７１７からＴＡ７１３経由でダウンロードできる。７３８において、ローカルＩＰを取得でき、ＯＭ７１２からＡＲ７１１経由でＡ２  ７０７へとつながるメディアパスを設定できる。
【００５３】
７４０において、完了する設定の判定を、Ａ２  ７０７において行うことができる。これは、ＯＭ７１２によってＡ１  ７０６に信号送信できる。写真および／または音楽７４４などの、メディア、およびメディアの制御（例えば、スライドショー制御）７４２を、トランスコーダ７４８によって第１のアプリケーションまたはデバイスＡ１  ７０６から受信でき、そしてトランスコーダ７４８によって第２のアプリケーションまたはデバイスＡ２  ７０７に送信できる。
【００５４】
例示目的として、ＡＲ、ＯＭ、ＴＡ、およびＡ１は、携帯電話などの、仲介デバイス内に存在し、ＳＮとＮＳＦとは、ネットワーク要素内に存在する。ここで説明された例は、休暇中に撮った写真などの、写真の共有を示しているが、任意のタイプのメディアを共有してよいことに留意されたい。Ａ１とＡ２の、２つのアプリケーションのみを例示目的で描いているが、任意の数のアプリケーションまたはデバイスを利用してよい。
【００５５】
（実施形態）
１．Ｈ．３２５ネットワークにおいて使用するための仲介デバイスであって、
アプリケーションを登録し、およびセッションを第１のアプリケーション上で実行しているかどうかを判定するように構成されたアプリケーションレジストリを備えることを特徴とする仲介デバイス。
２．ユーザが第２のアプリケーション上でセッション複製をトリガしたことを検出し、
前記第１のアプリケーションと前記第２のアプリケーションとの間で接続を確立するための複製要求をネットワークに送信し、
前記ネットワークが前記第２のアプリケーションとの接続確立を開始したという条件で、前記接続確立を確認するメッセージを前記ネットワークから受信するように構成されたオーケストレーションマネージャをさらに備えることを特徴とする実施形態１に記載の仲介デバイス。
３．前記オーケストレーションマネージャは、接続ＯＫメッセージを前記ネットワークから受信するように構成されることを特徴とする実施形態１乃至２のいずれかにおける仲介デバイス。
４．前記オーケストレーションマネージャは、前記接続確立の一部として呼び出し要求を前記第２のアプリケーションに送信するように構成されることを特徴とする実施形態１乃至３のいずれかにおける仲介デバイス。
５．前記オーケストレーションマネージャは、前記第２のアプリケーションから呼び出し確認を受信するように構成されることを特徴とする実施形態１乃至４のいずれかにおける仲介デバイス。
６．前記オーケストレーションマネージャは、セッション複製のための前記呼び出し確認を前記ネットワークに送信するように構成されることを特徴とする実施形態１乃至５のいずれかにおける仲介デバイス。
７．前記アプリケーションレジストリ、前記オーケストレーションマネージャ、およびトランスポートエージェントは、コンテナ機能の下位機能であることを特徴とする実施形態１乃至６のいずれかにおける仲介デバイス。
８．前記コンテナ機能は、Ｈ．３２５のコンテナ機能であることを特徴とする実施形態７の仲介デバイス。
９．Ｈ．３２５ネットワークにおいて使用するための仲介デバイスであって、
第１のアプリケーションおよび第２のアプリケーションを登録するように構成されたアプリケーションレジストリを備えることを特徴とする仲介デバイス。
１０．前記第２のアプリケーション上でセッション設定要求のトリガを受信するように構成されたオーケストレーションマネージャであって、
前記オーケストレーションマネージャは、前記第２のアプリケーションが使用可能であり、および前記第２のアプリケーションが前記第１のアプリケーション上で実行するのと同じセッションを実行する能力があるかどうかを求めるメッセージを、前記アプリケーションレジストリに送信するように構成され、
検証の肯定応答を受信すると、前記オーケストレーションマネージャは、トランスコーダをダウンロードする要求をネットワークに送信するように構成される、オーケストレーションマネージャをさらに備えることを特徴とする実施形態９の仲介デバイス。
１１．トランスコーディングのアルゴリズムおよびそれに関連するコードは、前記ネットワークからローカルエンティティにダウンロードされることを特徴とする実施形態１０の仲介デバイス。
１２．前記アプリケーションレジストリ、前記オーケストレーションマネージャ、およびトランスポートエージェントは、コンテナ機能の下位機能であることを特徴とする実施形態９乃至１１のいずれかにおける仲介デバイス。
１３．前記コンテナ機能は、Ｈ．３２５のコンテナ機能であることを特徴とする実施形態１２の仲介デバイス。
１４．Ｈ．３２５ネットワークにおいて使用する仲介デバイスで実行される時に前記仲介デバイスに方法を実行させる命令を包含するコンピュータ可読記憶媒体であって、前記方法は、第１のアプリケーションおよび第２のアプリケーションを登録するステップを備えるコンピュータ可読記憶媒体。
１５．前記第２のアプリケーション上でセッション設定要求のトリガを受信することをさらに備えることを特徴とする実施形態１４のコンピュータ可読記憶媒体。
１６．前記第２のアプリケーションが使用可能であり、および前記第２のアプリケーションが前記第１のアプリケーション上で実行するのと同じセッションを実行する能力があるかどうかを求めるメッセージを送信することと、
検証の肯定応答を受信すると、トランスコーダをダウンロードする要求をネットワークに送信すること
をさらに備えることを特徴とする実施形態１４乃至１５のいずれかにおけるコンピュータ可読記憶媒体。
１７．トランスコーディングのアルゴリズムおよびそれに関連するコードは、前記ネットワークからローカルエンティティにダウンロードされることを特徴とする実施形態１６のコンピュータ可読記憶媒体。
１８．前記仲介デバイスは、Ｈ．３２５デバイス内の置かれることを特徴とする実施形態１４乃至１７のいずれかにおけるコンピュータ可読記憶媒体。
【００５６】
本機能および要素を特定の組み合わせにおいて上述したが、各機能または要素を単独で、または他の機能および要素との任意の組み合わせにおいて使用することができることを当業者は認識されたい。さらに、本明細書で説明した方法を、コンピュータまたはプロセッサによって実行するためのコンピュータ可読媒体に組み込まれるコンピュータプログラム、ソフトウェア、またはファームウェアに実装できる。コンピュータ可読媒体の例は、電子信号（有線または無線接続を介して伝送される）およびコンピュータ可読記憶媒体を含む。コンピュータ可読記憶媒体の例は、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭおよびデジタル多用途ディスク（ＤＶＤ）などの光媒体を含むが、これらに限定されない。ソフトウェアと連動するプロセッサを使用して、ＷＴＲＵ、ＵＥ、端末機、基地局、ＲＮＣ、または任意のホストコンピュータで使用するための無線周波数トランシーバを実装することができる。
【図１】
0005632485.tif 000002
【図２】
0005632485.tif 000003
【図３Ａ】
0005632485.tif 000004
【図３Ｂ】
0005632485.tif 000005
【図３Ｃ】
0005632485.tif 000006
【図４】
0005632485.tif 000007
【図５】
0005632485.tif 000008
【図６】
0005632485.tif 000009
【図７】
0005632485.tif 000010